(57)【要約】【課題】握り心地の良い握り部を備えた釣竿を提供する。【解決手段】本発明の釣竿は、手元竿２の後端の大径部６に被覆部材８を被覆して形成された握り部５と、この握り部５後端に装着される尻栓１０とを備えている。そして、握り部５は、後端面部５ｂを有し、尻栓１０は、握り部５の後端部Ｐ以下の外径に形成されると共に、後端面部５ｂに部分的に当接する当接部を有することを特徴とする。【選択図】図３
2007195536.tif 000002
【特許請求の範囲】
【請求項１】
手元竿後端の大径部に被覆部材を被覆して形成された握り部と、この握り部後端に装着される尻栓とを備えた釣竿であって、
前記握り部は、後端面部を有し、
前記尻栓は、前記握り部の後端部以下の外径に形成されると共に、前記後端面部に部分的に当接する当接部を有することを特徴とする釣竿。
【請求項２】
前記後端面部は、後方側に向けて次第に縮径する傾斜面を有しており、前記当接部は、前記傾斜面に当接することを特徴とする請求項１に記載の釣竿。
【請求項３】
前記尻栓は、外周縁が当接部となる円形鍔部を有しており、前記円形鍔部の当接部の内側に空隙部が形成されていることを特徴とする請求項１又は２に記載の釣竿。
【請求項４】
手元竿後端の大径部に被覆部材を被覆して形成された握り部と、この握り部後端に装着され、鍔部を具備した尻栓とを備えた釣竿であって、
前記尻栓の鍔部に空隙部を形成すると共に、空隙部より外側の縁部を前記握り部の後端面部に当接したことを特徴とする釣竿。
【請求項５】
手元竿後端に大径に形成された握り部と、この握り部後端に装着され、鍔部を具備した尻栓とを備えた釣竿であって、
前記尻栓の鍔部に空隙部を形成すると共に、空隙部より外側の縁部を前記握り部の後端面に当接し、
前記鍔部と握り部後端面との間の前記空隙部に、弾性部材を介して接着する弾性接着部を設けたことを特徴とする釣竿。
【請求項６】
前記尻栓は、握り部後端面に形成した挿入孔に嵌入する嵌入部を備え、
前記挿入孔内面と嵌入部外面とを接着剤によって固定すると共に、前記弾性接着部による接着を粘着剤としたことを特徴とする請求項５に記載の釣竿。
【発明の詳細な説明】
【技術分野】
【０００１】
本発明は、手元竿に装着される握り部に特徴を有する釣竿に関する。
【背景技術】
【０００２】
一般的に、へら竿等では、握持性が向上するように、手元竿に握り部（グリップ）が装着されている。例えば、特許文献１には、手元竿の後端に、握持しやすい形状となるように発泡材などを膨出するように取着し、その外側に、手触りの向上、及び滑り止め等のため袋状に編んだ繊維体を被着した握り部が開示されている。
【０００３】
そして、前記握り部の後端には、鍔部を有する尻栓が嵌入されるようになっており、鍔部の裏面で前記繊維体を挟み込むことで、繊維体のホツレを防止している。
【特許文献１】実開平５−８８２６４号
【発明の開示】
【発明が解決しようとする課題】
【０００４】
しかし、上記した公知技術の釣竿では、尻栓の鍔部の平坦面を繊維体の折曲げ部に面接触させているため、広い範囲の編んだ繊維体の凹凸によって隙間が生じ易く、この結果、尻栓鍔部と握り部後端部との間に隙間が生じてしまい、鍔部の外周端が握持した手に当接したり、両者の隙間に皮膚が入り込む等、握り心地が悪く、長期の使用に耐えられない、という問題がある。また、上記したような尻栓の面接触構造では、寸法公差による両者の間の隙間が生じ易くなってしまう。
【０００５】
本発明は、上記した問題に基づいてなされたものであり、握り心地の良い握り部を備えた釣竿を提供することを目的とする。
【課題を解決するための手段】
【０００６】
上記した目的を達成するために、本発明に係る釣竿は、手元竿後端の大径部に被覆部材を被覆して形成された握り部と、この握り部後端に装着される尻栓とを備えており、前記握り部は、後端面部を有し、前記尻栓は、前記握り部の後端部以下の外径に形成されると共に、前記後端面部に部分的に当接する当接部を有することを特徴とする。
【０００７】
上記した構成の釣竿によれば、尻栓は、握り部の後端面部に面接触するのではなく、部分的に当接することから、後端面部の凹凸に依存する後端面部と尻栓との間の隙間が生じ難くなり、握持性の向上が図れるようになる。また、尻栓は、握り部の後端部以下の外径に形成されることから、握り部の外面から尻栓が突出するようなことはなく、握持した際に、皮膚に点当たりしたり線当たりするような部分が無くなって、握持性の向上が図れるようになる。
【０００８】
また、上記した目的を達成するために、本発明に係る釣竿は、手元竿後端の大径部に被覆部材を被覆して形成された握り部と、この握り部後端に装着され、鍔部を具備した尻栓とを備えており、前記尻栓の鍔部に空隙部を形成すると共に、空隙部より外側の縁部を前記握り部の後端面部に当接したことを特徴とする。
【０００９】
上記した構成の釣竿によれば、尻栓の鍔部に空隙部を形成することで、尻栓を握り部に装着した際、握り部の後端面部に対して、空隙部の外側の縁部が当て付くようになる。すなわち、尻栓は、鍔部が握り部の後端面部に面接触するのではなく、部分的に当接することから、後端面部の凹凸に依存する後端面部と尻栓との間の隙間が生じ難くなり、握持性の向上が図れるようになる。なお、前記空隙部は、周方向全体にわたって形成されていても良いし、周方向に間隔をおいて形成されていても良い。また、鍔部に形成される空隙部については、当て付く部分が、断面視した際に点接触する程度に形成しておくことが好ましい。
【００１０】
また、上記した目的を達成するために、本発明に係る釣竿は、手元竿後端に大径に形成された握り部と、この握り部後端に装着され、鍔部を具備した尻栓とを備えており、前記尻栓の鍔部に空隙部を形成すると共に、空隙部より外側の縁部を前記握り部の後端面に当接し、前記鍔部と握り部後端面との間の前記空隙部に、弾性部材を介して接着する弾性接着部を設けたことを特徴とする。
【００１１】
上記した構成の釣竿によれば、尻栓の鍔部に空隙部を形成することで、尻栓を握り部に装着した際、握り部の後端面部に対して、空隙部の外側の縁部が当て付くようになる。すなわち、尻栓は、鍔部が握り部の後端面部に面接触するのではなく、部分的に当接することから、後端面部の凹凸に依存する後端面部と尻栓との間の隙間が生じ難くなり、握持性の向上が図れるようになる。また、前記鍔部と握り部後端面との間の前記空隙部に、弾性部材を介して接着する弾性接着部を設けたことで、両者の接着強度が向上し、実釣時において、後端面部と尻栓との間で隙間が生じることを確実に防止することが可能となる。特に、弾性部材によって、空隙部の形状に沿った状態で接着が成されるため、後端面部と尻栓との間の接合部に生じる負荷を緩和することができ、破損等を効果的に防止して握持性の向上を図ることが可能となる。
【００１２】
もちろん、このような構成においても、前記空隙部は、周方向全体にわたって形成されていても良いし、周方向に間隔をおいて形成されていても良い。また、鍔部に形成される空隙部については、当て付く部分が、断面視した際に点接触する程度に形成しておくことが好ましい。
【発明の効果】
【００１３】
本発明によれば、握り心地の良い握り部を備えた釣竿が得られるようになる。
【発明を実施するための最良の形態】
【００１４】
以下、本発明に係る釣竿の一実施形態について説明する。
【００１５】
図１〜図５は、本発明に係る釣竿の一実施形態を示す図であり、図１は、握り部の部分を示す図、図２は、尻栓が装着される部分の縦断面図、図３は、図２の主要部の拡大図、図４は、握り部を後端側から見た平面図、そして、図５（ａ）は、尻栓の平面図、図５（ｂ）は、尻栓の側面図である。
【００１６】
本発明に係る釣竿１は、例えば、ヘラ鮒釣りに適した構成となっており、複数の竿杆を並継することで構成されている（図１では、そのような複数の竿杆の内、手元竿２が図示されている）。各竿杆は、例えば、強化繊維に合成樹脂を含浸させた、いわゆるＦＲＰによって構成されており、手元竿２の後端には、握り部５が形成されている。
【００１７】
前記握り部５は、手元竿２の後端に、軸方向に沿って所定の長さ（図１に示すように、握持できる長さ）の大径部６を設け、この大径部６の外周に被覆部材８を被覆することで構成されている。前記大径部６は、操作性の向上が図れるように硬質部材によって構成したり、或いは、軽量化が図れるように、例えば、発泡材やコルク等を、手元竿２を構成する竿杆の後端外周に接着剤等によって止着したり、手元竿２を構成する竿杆をそのまま膨出成形することで構成される。前記被覆部材８は、例えば、その外周に繊維材を巻回（ブレーディング）し、糸止め剤を塗布することで構成されている。或いは、被覆部材８は、合成樹脂チューブや織布筒を被着することで構成しても良く、柔軟性を有する部材で構成することで、握持性を向上することが可能となる。
【００１８】
なお、前記大径部は、その外周面が手元竿と平行となるようにストレート状に延出していても良いし（図８参照）、中央領域が膨出するような滑らかな湾曲面で構成されていても良い（図２、図６参照）。
【００１９】
前記大径部６に被覆部材８を被着して構成される握り部５は、手元竿２の軸方向と直交する方向に切断されて切断面５ａを有すると共に、後述する尻栓１０が当接され、被覆部材８が被着する後端面部５ｂを備えている。ここで、「後端面部」は、握り部５の後端部Ｐから後方側に形成される部分であり、尻栓１０が当接される部分として定義される。このため、切断面５ａそのものが、尻栓１０が当接される後端面部となっていても良い。また、「後端部Ｐ」は、握り部５の表面領域で前記後端面部５ｂに移行すべく、大きく変化する境界、又は握り部後端と尻栓とで規定される共通接線Ｌ（図７、図９参照）の握り部側の接点位置によって定義される。なお、図３に示す後端部Ｐは、説明を容易にするため鋭角となっているが、小さなＲで形成するのが良い。
【００２０】
本実施形態の後端面部５ｂは、後端部Ｐから後方に向けて次第に縮径する平坦状の傾斜面として構成されており、その傾斜面の下端位置から下方に、前記切断面５ａが形成された状態となっている。そして、切断面５ａの中心には、手元竿２の貫通孔２ｄが位置しており、ここに尻栓が嵌入されるようになっている。
【００２１】
前記握り部５の後端には、尻栓１０が装着される。この尻栓１０は、例えば、合成樹脂、木、金属等によって構成されており、前記貫通孔（挿入孔）２ｄに嵌入されてその内面に接着される円柱状の接着部（嵌入部）１０ａと、径方向に突出する鍔部１０ｂとを備えている。なお、接着部１０ａには、軸方向に延設する空洞部１０ｃが形成されていても良い。
【００２２】
前記鍔部１０ｂの形状は、特に限定されないが、本実施形態では、握り部の後端部Ｐよりも小さい外径の円形状を成すと共に、その内側（握り部側）の外周縁部１０ｄが前記後端面部５ｂに当接するようになっている。すなわち、握り部側に当て付くのは、鍔部１０ｂの内側面全体ではなく、その周囲である円形に線当たりする外周縁部（当接部となる）１０ｄとなっている。
【００２３】
また、本実施形態では、円形の鍔部１０ｂの内側に、周方向に亘って空隙部１２が形成されており、その空隙部１２の外側に、前記当接部となる外周縁部１０ｄが形成されている。なお、この空隙部１２は、中心から外周側に移行するに従って、切断面５ａとの間の距離が次第に短くなるように、尻栓１０の鍔部１０ｂの内面が傾斜することで形成されている。
【００２４】
上記した構成の釣竿によれば、尻栓１０は、握り部５の後端面部５ｂに面接触するのではなく、部分的に当接（円形に当接）することから、被覆部材８を大径部に被覆することで生じる凹凸に大きく依存されることなく、後端面部５ｂと尻栓（鍔部）との間に隙間が生じ難くなって握持性の向上が図れる。また、尻栓１０の鍔部１０ｂは、握り部５の後端部Ｐにおける外径よりも小径に形成されることから、握り部５の外面から尻栓が突出するようなことはなく、握持した際に、皮膚に点当たりしたり線当たりするような部分が無くなって、握持性の向上が図れるようになる。さらに、被覆部材が被着した後端面部５ｂに鍔部１０ｂの外周縁部１０ｄが当て付くため、被覆部材の端面が露出することはなく、被覆部材の破損等を防止することができる。さらに、外周縁部１０ｄが被覆部材に食い込むことから、隙間の防止が確実に行えるようになる。
【００２５】
また、上記したように、後端面部５ｂは、後方側に向けて次第に縮径する傾斜面として構成されていることから、尻栓の接着部１０ａを貫通孔２ｄに嵌入して接着固定する際、軸方向や径方向に公差によるズレがあったとしても、傾斜面のいずれかの領域に当て付けできるため、それを吸収することができ、被覆部材表面の凹凸による長手方向の隙間がより発生し難くなる。
【００２６】
また、上記した構成では、鍔部１０ｂに空隙部１２を形成しているため、被覆部材の端面を空隙部内に位置させることができ、被覆部材８の端面のホツレ、端面処理等による凹凸があっても、尻栓との間に隙間が生じ難い構成となる。さらに、図３に示すように、接着部１０ａに接着剤１５を塗布して、貫通孔２ｄに嵌入させた際、接着剤１５を、発泡材等によって形成された大径部６の端面（切断面５ａ）に塗布された状態とすると、大径部の変形を防止して、強度の向上が図れるようになる。また、接着剤１５が空隙部１２内に充填するように塗布すると、接着強度が向上する。さらに、空隙部１２により、接着剤１５の外部へのはみ出しを防止することができる。
【００２７】
なお、上記した空隙部１２は、部分的に平坦部を備えて、その部分が切断面５ａに面接触するような構成であっても良いし、後述するように、その内部に弾性接着部を充填するような構成であっても良い。
【００２８】
図６及び図７は、上記した釣竿の握り部の変形例を示す図である。
【００２９】
この変形例の握り部５は、大径部６に、織布、合成樹脂などによる筒状部材（チューブ）で構成される被覆部材８Ａを被着することで構成される。この変形例では、後方側に向けて次第に縮径する傾斜面である後端面部５ｂ´は、湾曲な面として構成されている。そして、鍔部１０ｂの当接する位置は、握り部後端と尻栓とで規定される共通接線Ｌの握り部５側の接点位置（後端部Ｐ）よりも径方向内側となっており、握持した際に、尻栓の端部領域が手に当たり難いようになっている。また、図に示すように、被覆部材８Ａの端部８ｄが空隙部１２内に位置していることから、被覆部材がホツレたり、破損することも無い。
【００３０】
図８は、上記した釣竿の握り部の第２の変形例を示す図である。
【００３１】
この変形例は、握り部５の外面形状を、手元竿の軸方向と平行となるように構成したものであり、その外径よりも小さい径（図に示すｄだけ小さい径）の尻栓１０を装着したものである。このように握り部の外面形状については、握持性を考慮して適宜変形することが可能である。
【００３２】
図９は、上記した釣竿の握り部の第３の変形例を示す図である。
【００３３】
この変形例は、握り部５の後端を、大きな湾曲部として構成しており、上記したように定義される後端部Ｐより後方側の後端面部５ｂ´全体を、後方に向けて次第に縮径する湾曲面として構成している。このような形状によれば、握り部の後端側全体が湾曲状になるため、当たりがなくなって掌の中で保持しやすい形状となる。
【００３４】
図１０から図１３は、上記した釣竿の握り部の第４の変形例を示す図である。
【００３５】
この変形例では、尻栓１０の鍔部１０ｂに形成される空隙部１２Ａを、図１２に示すように、深さｄが０．５〜５ｍｍの円周状の凹所によって構成している。ここで凹所の深さｄを０．５〜５ｍｍに設定したのは、０．５ｍｍより浅くすると成形バラツキによって後述する弾性接着部が膨出して隙間が生じる可能性があるからであり、５ｍｍより深くすると、尻栓の外殻強度が低下するからである（勿論、強度的に問題なければ、５ｍｍよりも深く形成しても良い）。
【００３６】
握り部５の後端面部に当接する当接部である鍔部１０ｂの外周縁部１０ｄの形状は、円弧状、角状に構成されていても良いし、平面状に形成されていても良い。この場合、後端面部に対する当接幅は、図１２に示す鍔部の径方向長さＬに対して１／２以下にしておくことが好ましい。
【００３７】
そして、鍔部１０ｂと握り部５の後端面との間に形成される空隙部１２Ａには、弾性部材を介して接着する弾性接着部２０が設けられている。この弾性接着部２０は、輪帯状に形成された弾性部材２０ａの両面側に接着層２０ｂを被着することで構成されている。前記弾性部材２０ａは、例えば、布、合成樹脂（ポリプロピレンテープ等）のような弾性を有する部材で、厚さが０．５〜５ｍｍ程度に構成される。また、接着層２０ｂは、いわゆる接着剤によって構成しても良いが、粘着性を有する部材、例えば、シリコーン系、ゴム系、アクリル系粘着剤によって構成することが好ましく、その際の厚さは、１０〜１５μｍ程度に構成することが好ましい。
【００３８】
また、前記貫通孔（挿入孔）２ｄの内面と、そこに嵌入されて内面に接着される円柱状の接着部（嵌入部）１０ａとは、０．０５ｍｍ程度のクリアランスを形成し、そこにエポキシ樹脂系、アクリル樹脂系、シアノアクリレート系のいずれかの接着剤１５によって接着することが好ましい。
【００３９】
上記した構成によれば、前記鍔部と握り部後端面との間の前記空隙部１２Ａに、弾性部材２０ａを介して接着する弾性接着部２０を設けたことで、握り部５との間での接着強度の向上が図れるようになる。このため、実釣時に掌による負荷が作用しても、両者の間で隙間が生じることが確実に防止されて握持性、操作性の向上が図れるようになる。特に、空隙部を単に接着剤等で充填した構成と比較しても、接着層が剥離する等の問題が生じることはない。また、弾性変形可能な弾性部材２０ａによって、空隙部１２Ａの形状に沿った状態で接着が成されるため、握り部５の後端面部と尻栓との間の接合部に作用する負荷を緩和することができ、破損等を効果的に防止することが可能になると共に、尻栓の軽量化等、設計の自由度の向上が図れる。
【００４０】
また、前記貫通孔（挿入孔）２ｄの内面と、そこに嵌入されて内面に接着される円柱状の接着部（嵌入部）１０ａとを、接着剤１５によって接着すると共に、空隙部１２Ａに設けられる弾性接着部２０の接着層２０ｂを粘着剤によって構成したことで、尻栓１０の装着時に、仮止めして段差や隙間を調整することが可能となる。すなわち、粘着剤は、高粘度で低弾性の半固体であり、接着後もその状態が変わり難く、常温、短時間で僅かな圧力を加えるだけで接着できるので、尻栓の貫通孔（挿入孔）２ｄの内面と、円柱状の接着部（嵌入部）１０ａとを接着剤１５で固定するに際し、接合界面で高い接着強さを得やすい接着剤１５による両者の固定時のバラツキを仮固定しながら調整することが可能となる。このため、段差などを生じさせることなく、確実に位置合わせされた状態で接着剤１５による強固な接合が実現できると共に、粘着剤が有する低弾性な特性によって、接合部における負荷を緩和することが可能になる。
【００４１】
図１４は、上記した釣竿の握り部の第５の変形例を示す図である。
【００４２】
この変形例では、上述した図２及び図３に示した尻栓１０の空隙部１２に、複数枚の弾性接着部を設けている。上記した第４の変形例で詳述したように、弾性接着部２０は、弾性部材によって空隙部の形状に沿って弾性変形が可能であるため、空隙部１２が充填されるように、図に示すように、複数枚の弾性接着部２０Ａ，２０Ｂを設けることが可能である。すなわち、弾性接着部を複数枚に分割することで、尻栓１０の鍔部１０ｂに形成される空隙部の形状に合わせて配設することが可能である。
【００４３】
また、シリコーンシーリング材等の粘度の高い低弾性の半固体状の粘着剤を空隙部１２に充填しても良い。また、厚さ１５μｍ〜１００μｍ程度の粘着剤を複数層積層して弾性接着部を形成しても良い。
【００４４】
以上、本発明の実施の形態について説明したが、本発明は、上記した実施形態の構成に限定されることはなく、種々変形することが可能である。
【００４５】
握り部を構成する大径部、及びこれに被覆される被覆部材の構成材料については、適宜変形することが可能である。また、尻栓の鍔部に形成される空隙部の形状についても、鍔部の内面全体が面接触する構成でなければ、適宜変形することが可能である。また、その鍔部は、握り部５の後端部Ｐにおける外径以下の外径であれば良く、鍔部や、その表面の形状についても適宜変形することが可能である。
【図面の簡単な説明】
【００４６】
【図１】本発明に係る釣竿の一実施形態を示す図であり、握り部の部分を示す図。
【図２】尻栓が装着される部分の縦断面図。
【図３】図２の主要部の拡大図。
【図４】握り部を後端側から見た平面図。
【図５】尻栓を示す図であり、（ａ）は、平面図、（ｂ）は、側面図。
【図６】握り部の変形例を示す図。
【図７】図６の主要部の拡大図。
【図８】握り部の第２の変形例を示す図。
【図９】握り部の第３の変形例を示す図。
【図１０】握り部の第４の変形例を示す図。
【図１１】図１０の主要部の拡大図。
【図１２】尻栓を示す図であり、（ａ）は、平面図、（ｂ）は、側面図。
【図１３】弾性接着部を示す図であり、（ａ）は、平面図、（ｂ）は、側面図。
【図１４】握り部の第５の変形例を示す図。
【符号の説明】
【００４７】
１  釣竿
２  手元竿
５  握り部
５ｂ，５ｂ´  後端面部
６  大径部
８  被覆部材
１０  尻栓
１０ｂ  鍔部
１０ｄ  外周縁部（当接部）
１２，１２Ａ  空隙部
１５  接着剤
２０，２０Ａ，２０Ｂ  弾性接着部
Ｐ  後端部
【図１】
2007195536.tif 000003
【図２】
2007195536.tif 000004
【図３】
2007195536.tif 000005
【図４】
2007195536.tif 000006
【図５】
2007195536.tif 000007
【図６】
2007195536.tif 000008
【図７】
2007195536.tif 000009
【図８】
2007195536.tif 000010
【図９】
2007195536.tif 000011
【図１０】
2007195536.tif 000012
【図１１】
2007195536.tif 000013
【図１２】
2007195536.tif 000014
【図１３】
2007195536.tif 000015
【図１４】
2007195536.tif 000016